(57)【特許請求の範囲】
【請求項１】
原反フィルムに増減速制御可能な駆動モータの回転力を与えることによりその原反フィルムから連続して送出された帯状のフィルムを用いて所定間隔毎に搬送される被包装物を包むとともに、そのフィルムの所定部位をシール及びまたはカットして包装体を製造する製袋充填包装機における原反フィルムの送出し方法であって、
運転開始時に、前記原反フィルムから前記帯状フィルムを所定量だけ送出し、その後停止させ、その所定量だけ送出された際の前記帯状フィルムの移動距離と、前記原反フィルムの回転角度をそれぞれ計測し、
その計測された移動距離と回転角度に基づいて前記原反フィルム径を算出し、
その算出した前記原反フィルム径に基づいて、送出される帯状フィルムが目標移動速度になるための運転開始当初の前記駆動モータの回転速度を決定し、
前記停止を解除して運転を再開する際に、当該決定した回転速度で前記駆動モータを稼働するようにし、
その後、前記駆動モータの回転速度を増加または減少させることにより、前記原反フィルムの回転速度を変化させ、前記原反フィルム径の変化に応じて前記帯状フィルムの送出し速度を制御するようにした製袋充填包装機における原反送出し方法。
【請求項２】
原反フィルムから連続して送出された帯状のフィルムを用いて所定間隔毎に搬送される被包装物を包むとともに、そのフィルムの所定部位をシール及びまたはカットして包装体を製造する製袋充填包装機に設けられる原反フィルムの送出し装置であって、
前記原反フィルムを装着する回転体に対し回転力を与える増減速制御可能な駆動モータと、前記原反フィルムの回転により送出される帯状フィルムの移動距離を計測する距離計測装置と、前記原反フィルムの回転角度を計測する回転角計測装置と、前記距離計測装置と前記回転角計測装置でそれぞれ計測された移動距離データと回転角度データを受け取るとともに、その出力に基づいて原反フィルム径を算出する演算処理装置と、
その演算処理装置により算出された前記原反フィルム径に基づいて、運転開始当初の前記駆動モータの回転速度を決定するとともに、前記帯状フィルムの送出しにともなう管径の減少に応じて、前記送出される帯状フィルムの送出し速度を所定速度にすべく前記駆動モータの速度を制御する速度制御装置と、前記送出された帯状フィルムを前記製袋充填包装機側へ供給する手段とを備え、
前記運転開始当初に行なう前記駆動モータの回転速度の決定処理は、前記駆動モータを回転させて前記原反フィルムから前記帯状フィルムを所定量だけ送出し、その後停止させ、その所定量だけ送出された際に前記距離計測装置が求めた前記帯状フィルムの移動距離と、前記回転角計測装置で求めた前記原反フィルムの回転角度に基づき前記演算処理装置が算出するようにし、
前記速度制御装置は、前記停止を解除して運転を再開する際に、前記演算処理装置が算出し決定した回転速度で前記駆動モータを稼働するようにしてなることを特徴とする製袋充填包装機における原反フィルム送出し装置。
【請求項３】
原反フィルムに増減速制御可能な駆動モータの回転力を与えることによりその原反フィルムから連続して送出し、
その送り出された帯状のフィルムを用いて、所定間隔毎に搬送される被包装物を包む処理を行ない、
その被包装物を包み込んだフィルムの所定部位をシール及びまたはカットして包装体を製造する製袋充填包装機における包装方法であり、
運転開始時に、前記原反フィルムから前記帯状フィルムを所定量だけ送出し、その後停止させ、その所定量だけ送出された際の前記帯状フィルムの移動距離と、前記原反フィルムの回転角度をそれぞれ計測し、
その計測された移動距離と回転角度に基づいて前記原反フィルム径を算出し、
その算出した前記原反フィルム径に基づいて、送出される帯状フィルムが目標移動速度になるための運転開始当初の前記駆動モータの回転速度を決定し、
前記停止を解除して運転を再開する際に、当該決定した回転速度で前記駆動モータを稼働させ、
その後、前記駆動モータの回転速度を増加・減少させることにより、前記原反フィルムの回転速度を変化させ、前記原反フィルム径の変化に応じて前記帯状フィルムの送出し速度を制御することにより前記帯状のフィルムの送出しを行なうこと特徴とする包装方法。
【請求項４】
原反フィルムに回転力を与え、その原反フィルムから連続して帯状のフィルムを送り出す原反送り出し装置と、
その原反送り出し装置により送り出された帯状のフィルムを用いて、所定間隔毎に搬送される被包装物を包む手段と、
その被包装物を包み込んだフィルムの所定部位をシール及びまたはカットする手段とを備え、
前記原反フィルムの送出し装置は、
前記原反フィルムを装着する回転体に対し回転力を与える増減速制御可能な駆動モータと、前記原反フィルムの回転により送出される帯状フィルムの移動距離を計測する距離計測装置と、前記原反フィルムの回転角度を計測する回転角計測装置と、前記距離計測装置と前記回転角計測装置でそれぞれ計測された移動距離データと回転角度データを受け取るとともに、その出力に基づいて原反フィルム径を算出する演算処理装置と、その演算処理装置により算出された前記原反フィルム径に基づいて、運転開始当初の前記駆動モータの回転速度を決定するとともに、前記帯状フィルムの送出しにともなう管径の減少に応じて、前記送出される帯状フィルムの送出し速度を所定速度にすべく前記駆動モータの速度を制御する速度制御装置と、前記送出された帯状フィルムを前記製袋充填包装機側へ供給する手段とを備え、
前記運転開始当初に行なう前記駆動モータの回転速度の決定処理は、前記駆動モータを回転させて前記原反フィルムから前記帯状フィルムを所定量だけ送出し、その後停止させ、その所定量だけ送出された際に前記距離計測装置が求めた前記帯状フィルムの移動距離と、前記回転角計測装置で求めた前記原反フィルムの回転角度に基づき前記演算処理装置が算出するようにし、
前記速度制御装置は、前記停止を解除して運転を再開する際に、前記演算処理装置が算出し決定した回転速度で前記駆動モータを稼働するようにしてなることを特徴とする製袋充填包装機。
【発明の詳細な説明】
【０００１】
【産業上の利用分野】
本発明は、製袋充填包装機における原反フィルム送出し装置及び送出し方法並びに製袋充填包装機及び包装方法に関するものである。
【０００２】
【発明の背景】
従来、横ピロー包装機等の製袋充填包装機においては、例えば図４に示すようにロール状に巻き取られた原反フィルム１から連続した帯状フィルム２として引き出して製袋器３に供給し、そこで筒状に形成して筒状フィルム４にする。一方、製袋器３の搬入側には、被包装物供給装置５が設置され、被包装物６を所定間隔毎に搬送し、筒状フィルム４内に順次供給する。そして、筒状フィルム４内に被包装物６が内包された状態のまま順次搬送し、その搬送途中でセンターシーラ７にて筒状フィルム４のフィルム重合端をシールし、さらにエンドシーラ８にて筒状フィルム４の被包装物６間毎を横方向にシール・カットして包装体９を製造している。
【０００３】
そして、原反フィルム１から帯状フィルム２の送出しは、引き出された帯状フィルム２をその両側から挟持する一対のローラを備えたフィードローラ１０を用いて行っている。すなわち、フィードローラ１０を構成する一方のローラ１０ａを駆動モータ１１に連結し、他方のローラ１０ｂをフリー状態にする。これにより、駆動モータ１１を等速回転すると、一方のローラ１０ａも等速回転するため、帯状フィルム２は一定速度で引き出される。これに追従して、原反フィルム１も間接的に回転力が与えられ、上記帯状フィルムの引き出しを許容する。
【０００４】
また、上記各部の駆動制御は、例えば特開昭６３−２８１９１１号に示される方式が用いられる。すなわち、帯状フィルム２を引き出す駆動モータ１１を基準として、他の２つの駆動系（被包装物供給装置５の駆動系及びエンドシーラ８の駆動系）を制御する。より具体的には、その基準となる帯状フィルム２を上述のごとく一定速度で引き出させておいて、帯状フィルム２に形成されたカットマークの間隔を検出して所定間隔（カットマークピッチ）と異なる場合に、被包装物供給装置５の速度（被包装物の搬送速度）とエンドシーラ８の回転速度並びに噛合タイミングを増減速してすべての駆動系の駆動源となるモータが同期するようにしている。このように、帯状フィルム２の移動速度は、包装装置全体の駆動制御の基準となるため、その移動速度が変動したりすると正常に動作させることができない。よって、上記のように帯状フィルムを一定速度で引き出す必要がある。
【０００５】
ところで、上記したようにフィードローラ１０により帯状フィルム２を挟持して引き出すようにしていると、原反フィルム１はその帯状フィルム２の引き出しに追従して回転するため、一定の慣性力が生じている。そして、その慣性力にともなう回転速度と、原反フィルム２の引き出し速度との間で差が出ると、帯状フィルム２に弛みが生じるおそれがある。そして、このように帯状フィルムが弛むと、例えば包装装置の製袋器３を通過して製袋される際に、帯状フィルム２が蛇行してしまい、所望の場所にセンターシール部位が形成されず、その結果、最終的な包装体が不良品となるおそれがある。
【０００６】
したがって、原反フィルム１にこの回転を制動する制動装置を設けて、その原反フィルム１の回転を制動することによって帯状フィルム２に張力を付与し、上記弛みの発生を防止するようにしている。
【０００７】
しかし、上記制動装置の制動力が強すぎると、フィードローラ１０部位で帯状フィルム２の滑りが発生し、単位時間あたりに所定量引き出すことができなくなる。逆に制動力が弱いと、上記制動による効果が充分に発揮されず、弛み等を生じてしまう。そこで従来は、たとえば実公平１−３６８３２号に開示されたシート張力調整装置のように、原反フィルムの側面に近接し、原反フィルムの回転中心から外側に向けて、複数の光電センサを配置し、その光電センサの検出出力により原反フィルム径を算出し、それに応じて制動力を調整するようにしていた。
【０００８】
しかし、係る装置では光電センサで検出できる原反フィルム径は、段階的であるので帯状フィルムの引き出しにより逐次変化する管径に対して、正確に追従することはできない。その結果、ある光電センサで原反フィルムの外周を検出（管径の算出）してから次の１つ内側に存在する光電センサで原反フィルムの外周を検出するまでの区間に着目すると、最適な制動力を発生されることができず、過不足を生じる。
【０００９】
さらには、原反フィルム１の周囲に上記制動装置を設置するとともに、原反フィルム１と製袋器３との間にフィードローラ１０及びそれを駆動するための駆動モータ１１を設置しなければならず、原反フィルム１の設置位置が高くなり、その結果、包装装置全体も高くなり、小型化のネックとなる。
【００１０】
そこで本出願人は、係る問題を解決するため、大掛かりな制動装置が不要で実装される包装装置全体の小型化を図ることができ、しかも、原反フィルムの巻径の増減に問わず（追従して）原反フィルムから帯状フィルムに一定のテンション（張力）を与えながら所定速度で引き出すことができ、かつ、係る制御を簡単に行うことのできる製袋充填包装機における原反送出し装置を創案し、特願平６−５２６８７号などにて出願した。
【００１１】
係る先願の発明を簡単に説明すると、前記原反フィルムを装着する回転体に、増減速制御可能な駆動モータを接続し、その駆動モータの回転力により原反フィルムを所定方向に所定速度で回転させるようにする。これにより、駆動モータの増減速に追従して原反フィルムの回転速度も増減速し、駆動モータを停止すると原反フィルムの回転も止まるため、駆動モータが制動装置の機能も発揮する。そして、速度制御装置からの制御命令により、原反フィルム径の減少に応じて、駆動モータの回転速度を増速させ、帯状フィルムの移動速度が一定になるようにした。
【００１２】
この速度制御の際に、運転状態を監視し（たとえば帯状フィルムの移動速度を検出し）、その監視結果が所望の状態になるように駆動モータに対してフィードバック制御した場合には、一度駆動モータの回転速度が所望の帯状フィルムの移動速度に適したものになるとその後はスムーズな制御が行え、徐々に駆動モータの速度を増加させることができるが、運転開始当初に着目すると、駆動モータの回転速度が早過ぎると帯状フィルムが必要以上に送出されて弛んでしまう。そこで、通常は駆動モータの回転速度を遅くするが、逆に遅過ぎると帯状フィルムに過大なストレスを与え、延びたり破断したりするおそれがある。また、帯状フィルムの腰が強い場合には、センターシーラーなどの引き出し手段側に負荷がかかりすぎ、損傷するおそれもある。従って、実際に上記した制御を行うためには、始動時の原反フィルム径を把握し、その径に適した駆動モータの回転速度を求め、稼働する必要がある。そして、原反フィルムが未使用のものを使用する場合には、予めそのおおよその原反フィルム径はわかっているので、係る径を初期設定して入力すれば良いが、使用途中の原反フィルムを使用する場合には、ユーザーがその原反フィルム径を測定し、入力する必要があるので、煩雑となる。
【００１３】
本発明は、上記した背景に鑑みてなされたもので、その目的とするところは、上記した問題を解決し、ユーザーが原反フィルム径を図ることなく、自動的に使用開始時の原反フィルム径を測定し、精度良くスムーズな製袋充填包装機における原反フィルム送出し装置及び送出し方法並びに製袋充填包装機及び包装方法を提供することにある。
【００１４】
【課題を解決するための手段】
上記した目的を達成するために、本発明に係る製袋充填包装機における原反送出し方法は、原反フィルムに増減速制御可能な駆動モータの回転力を与えることによりその原反フィルムから連続して送出された帯状のフィルムを用いて所定間隔毎に搬送される被包装物を包むとともに、そのフィルムの所定部位をシール及びまたはカットして包装体を製造する製袋充填包装機における原反フィルムの送出し方法であって、運転開始時に、前記原反フィルムから前記帯状フィルムを所定量だけ送出し、その後停止させ、その所定量だけ送出された際の前記帯状フィルムの移動距離と、前記原反フィルムの回転角度をそれぞれ計測し、その計測された移動距離と回転角度に基づいて前記原反フィルム径を算出し、その算出した前記原反フィルム径に基づいて、送出される帯状フィルムが目標移動速度になるための運転開始当初の前記駆動モータの回転速度を決定し、前記停止を解除して運転を再開する際に、当該決定した回転速度で前記駆動モータを稼働するようにし、その後、前記駆動モータの回転速度を増加または減少させることにより、前記原反フィルムの回転速度を変化させ、前記原反フィルム径の変化に応じて前記帯状フィルムの送出し速度を制御するようにした。
【００１５】
そして、上記方法を実施するための装置としては、反フィルムから連続して送出された帯状のフィルムを用いて所定間隔毎に搬送される被包装物を包むとともに、そのフィルムの所定部位をシール及びまたはカットして包装体を製造する製袋充填包装機に設けられる原反フィルムの送出し装置であって、前記原反フィルムを装着する回転体に対し回転力を与える増減速制御可能な駆動モータと、前記原反フィルムの回転により送出される帯状フィルムの移動距離を計測する距離計測装置と、前記原反フィルムの回転角度を計測する回転角計測装置と、前記距離計測装置と前記回転角計測装置でそれぞれ計測された移動距離データと回転角度データを受け取るとともに、その出力に基づいて原反フィルム径を算出する演算処理装置と、その演算処理装置により算出された前記原反フィルム径に基づいて、運転開始当初の前記駆動モータの回転速度を決定するとともに、前記帯状フィルムの送出しにともなう管径の減少に応じて、前記送出される帯状フィルムの送出し速度を所定速度にすべく前記駆動モータの速度を制御する速度制御装置と、前記送出された帯状フィルムを前記製袋充填包装機側へ供給する手段とを備え、前記運転開始当初に行なう前記駆動モータの回転速度の決定処理は、前記駆動モータを回転させて前記原反フィルムから前記帯状フィルムを所定量だけ送出し、その後停止させ、その所定量だけ送出された際に前記距離計測装置が求めた前記帯状フィルムの移動距離と、前記回転角計測装置で求めた前記原反フィルムの回転角度に基づき前記演算処理装置が算出するようにし、前記速度制御装置は、前記停止を解除して運転を再開する際に、前記演算処理装置が算出し決定した回転速度で前記駆動モータを稼働するように構成した。
【００１６】
また、本発明に係る包装方法は、原反フィルムに増減速制御可能な駆動モータの回転力を与えることによりその原反フィルムから連続して送出し、その送り出された帯状のフィルムを用いて、所定間隔毎に搬送される被包装物を包む処理を行ない、その被包装物を包み込んだフィルムの所定部位をシール及びまたはカットして包装体を製造する製袋充填包装機における包装方法であり、運転開始時に、前記原反フィルムから前記帯状フィルムを所定量だけ送出し、その後停止させ、その所定量だけ送出された際の前記帯状フィルムの移動距離と、前記原反フィルムの回転角度をそれぞれ計測し、その計測された移動距離と回転角度に基づいて前記原反フィルム径を算出し、その算出した前記原反フィルム径に基づいて、送出される帯状フィルムが目標移動速度になるための運転開始当初の前記駆動モータの回転速度を決定し、前記停止を解除して運転を再開する際に、当該決定した回転速度で前記駆動モータを稼働させ、その後、前記駆動モータの回転速度を増加・減少させることにより、前記原反フィルムの回転速度を変化させ、前記原反フィルム径の変化に応じて前記帯状フィルムの送出し速度を制御することにより前記帯状のフィルムの送出しを行なうようにした。
そして、その方法を実施するのに適した本発明に係る製袋充填包装機は、反フィルムに回転力を与え、その原反フィルムから連続して帯状のフィルムを送り出す原反送り出し装置と、その原反送り出し装置により送り出された帯状のフィルムを用いて、所定間隔毎に搬送される被包装物を包む手段と、その被包装物を包み込んだフィルムの所定部位をシール及びまたはカットする手段とを備え、前記原反フィルムの送出し装置は、前記原反フィルムを装着する回転体に対し回転力を与える増減速制御可能な駆動モータと、前記原反フィルムの回転により送出される帯状フィルムの移動距離を計測する距離計測装置と、前記原反フィルムの回転角度を計測する回転角計測装置と、前記距離計測装置と前記回転角計測装置でそれぞれ計測された移動距離データと回転角度データを受け取るとともに、その出力に基づいて原反フィルム径を算出する演算処理装置と、その演算処理装置により算出された前記原反フィルム径に基づいて、運転開始当初の前記駆動モータの回転速度を決定するとともに、前記帯状フィルムの送出しにともなう管径の減少に応じて、前記送出される帯状フィルムの送出し速度を所定速度にすべく前記駆動モータの速度を制御する速度制御装置と、前記送出された帯状フィルムを前記製袋充填包装機側へ供給する手段とを備え、前記運転開始当初に行なう前記駆動モータの回転速度の決定処理は、前記駆動モータを回転させて前記原反フィルムから前記帯状フィルムを所定量だけ送出し、その後停止させ、その所定量だけ送出された際に前記距離計測装置が求めた前記帯状フィルムの移動距離と、前記回転角計測装置で求めた前記原反フィルムの回転角度に基づき前記演算処理装置が算出するようにし、前記速度制御装置は、前記停止を解除して運転を再開する際に、前記演算処理装置が算出し決定した回転速度で前記駆動モータを稼働するようにした。
【００１７】
【作用】
まず、運転開始に先立ち、駆動モータを所定量（時間，フィルムの移動距離，原反フィルムの回転角など）だけ駆動させて原反フィルムを回転させて帯状フィルムを送り出す。この時の帯状フィルムの総移動距離を距離計測装置で計測するとともに、回転角計測装置にて原反フィルムの回転角度を計測する。
【００１８】
距離計測装置で計測された移動距離は、回転角計測装置で計測された回転角度を中心角とした扇の弧の長さに等しい。従って、係る扇の中心角が３６０度、すなわち円としたときの弧の長さ（円周に相当する）は、計測した２つのデータに基づいて所定の四則演算を行うことができ、さらに、円周から直径も四則演算により簡単に求まる。このようにして原反フィルム径を算出する。
【００１９】
このようにして求めた原反フィルム径と、目標とする帯状フィルムの移動速度から、原反フィルムの回転速度、すなわち駆動モータの回転速度を算出し、その求めた回転速度で駆動モータを稼働させる。すると、その回転力が原反フィルムに伝わり、所定速度で原反フィルムが回転する。それにともない原反フィルムに巻き取られている帯状フィルムが所定速度で送出され、この速度は目標速度にほぼ等しくなる。これにより、運転開始当初から目標速度或いはそれに近い速度で帯状フィルムを送出すことができ、帯状フィルムや各装置に過負荷を与えず、スムーズな始動が行える。
【００２０】
その後の帯状フィルムの送出し速度は、駆動モータを増減速することによりそれに追従するように制御される。よって、制御装置により、原反フィルムの巻径が小さくなるのに応じて駆動モータの回転速度を増加させることにより、一定速度で帯状フィルムが送出される。また、このように原反フィルムの回転は駆動モータの回転に追従しているので、駆動モータを減速したり、停止した場合にはその変化にあわせて原反フィルムの回転も減速／停止し、慣性力により回転し続けることがないので、従来のような制動装置も不要となる。そして、上記のようにして送出された帯状フィルムは、供給する手段により所定の速度で製袋充填包装機の所定位置に供給され、包装フィルムとして使用される。
【００２１】
【実施例】
以下、本発明の好適な実施例について、添付図面を参照にして詳述する。図１は本発明に係る原反フィルム送出し装置及びそれが実装される製袋充填包装機（ピロー包装装置）の一実施例を示している。 同図に示すように、原反フィルム１５に巻き取られた帯状フィルム１６は、複数のプーリ（固定プーリ，テンションプーリ等）１７に掛け渡されて下方の製袋器１８に導かれ、その製袋器１８を通過することにより筒状に成形されて筒状フィルム１９が形成される。
【００２２】
製袋器１８の搬入側（上流側）には、製袋器１８内、すなわち筒状フィルム１９内に被包装物２０を順次供給する被包装物供給装置２２が設置されている。この被包装物供給装置２２は、一対の駆動スプロケット２３，従動スプロケット２４間に渡設されたエンドレスチェーン２５に、一定間隔毎に押送フィンガ２６が取りつけられることにより構成され、駆動スプロケット２３に連携された第１の駆動モータ２７からの回転力を受けて回転駆動するようになっている。そしてこの第１の駆動モータ２７は、例えばサーボモータ等の増減速を自在に制御できるようなモータからなる。
【００２３】
また、製袋器１８の搬出側（下流側）所定位置には、補助ローラ２８，センターシーラ２９，エンドシーラ３０が配置され、エンドシーラ３０のさらに下流側には搬出コンベア３２が設置されている。
【００２４】
上記補助ローラ２８は、筒状フィルム１９の重合端部位をその両側から挟持する一対のローラからなり、筒状フィルム１９に対して後述する本発明に係る原反送出し装置により送出される帯状フィルム１６の移動速度よりも若干速い速度の搬送力を与え、帯状フィルム１６に対して一定のテンションを与え、フィルムが弛むのを防止している。
【００２５】
またセンターシーラ２９は、偏平な一対の回転ローラ（少なくとも一方は加熱されている）からなり、両回転ローラにて筒状フィルム１９の重合端を挟持するとともに加熱してその重合端を熱融着するようになっている。そして、このセンターシーラ２９の回転速度も帯状フィルム１６の移動速度よりも若干早くしている。
【００２６】
そして、上記補助ローラ２８，センターシーラ２９は、第２の駆動モータ３３に連結され、両者は同期して同速度で回転するようになっている。そしてこの第２の駆動モータ３３は上記第１の駆動モータ２７とともに速度制御装置３８に接続され、その速度が制御されている。なお、この第２の駆動モータ３３も汎用性をもたせるためにサーボモータなどの増減速可能なモータで構成してもよいが、包装装置の稼働途中で回転速度を変える必要がない場合には、通常のモータで構成してもよい。
【００２７】
さらにエンドシーラ３０は、上下に対向配置された回転軸３０ａにトップシーラ３０ｂがそれぞれ取りつけられ、両者は同期して回転して１回転毎に両トップシーラ３０ｂ同士が筒状フィルム１９を挟んで突き当たるようになっている。さらに、所定のトップシーラ３０ｂ内には、ヒータ及びまたはカッターが内蔵されている。これにより、上記両トップシーラ３０ｂ同士が突き当った時には筒状フィルム１９の所定部位が加熱されて融着するとともに、カッターにて切断されて、包装体３４が製造される。そして包装体３４は上記搬出コンベア３２により搬出される。なお、このエンドシーラ３０も、一方の回転軸３０ａに連携された第３の駆動モータ３５により回転駆動されるようになっており、その第３の駆動モータ３５もサーボモータ等の増減速制御可能なモータからなる。
【００２８】
さらに、原反フィルム１５に第４の駆動モータ４０を連携し、原反フィルム１５に対して直接的に所定方向の回転力を与え、帯状フィルム１６を所定速度で送出すようにしている。すなわち、図２に示すように、原反フィルム１５は、紙管４１の周囲に帯状フィルム１６を多数回巻き付けることにより構成されているので、その紙管４１を、軸受け４２に片持ち支持される回転体たる回転軸４３に挿入固定し、回転軸４３と一体化する。そして、原反フィルム１５は回転軸４３に設けられたストッパ４４により両側から挟持・固定される。
【００２９】
この回転軸４３の一端にはスプロケット４５が固着され、このスプロケット４５に掛け渡された動力伝達チェーン４６を介して第４の駆動モータ４０の回転力を回転軸４３に伝達するようにしている。これにより、第４の駆動モータ４０が回転すると、回転軸４３ひいては原反フィルム１５が回転するようになる。そして、この第４の駆動モータ４０は、上記した速度制御装置３８からの制御信号に基づいて回転駆動するようになっている。
【００３０】
なお、第４の駆動モータ４０と回転軸４３とは、上記した如く動力伝達チェーンを介して接続するのではなく、駆動モータの出力軸を回転軸に直結或いはギヤ等を介して連結するようにしてもよい。
【００３１】
上記のように構成したため、第４の駆動モータ４０を回転させると、回転軸４３ひいては原反フィルム１５が所定速度で回転するため、それにともない帯状フィルム１６が連続して送出される。そして、第４の駆動モータ４０と原反フィルム１５とは連動しているため、第４の駆動モータ４０が増減速すると、原反フィルム１５の回転速度も増減速する。
【００３２】
従って、ある速度で回転駆動（高速回転）しているときに、急に第４の駆動モータ４０を停止したり、或いは減速したりしたとしても、従来のように原反フィルム１５が慣性力により高速回転を続けることはなく、そのまま停止或いは減速するため、第４の駆動モータ４０が制動装置の機能も発揮するので従来のような大型な制動装置は不要となる。さらに、第４の駆動モータ４０の回転速度を正確に制御することにより、原反フィルム１５の回転速度の制御を行うことができ、帯状フィルム１６の送出し速度を係る第４の駆動モータ４０を制御することにより調整できる。なお、そのようにして送出された帯状フィルム１６は、第２の駆動モータ３３により回転駆動する補助ローラ２８，センターシーラ２９からの引っ張り力により、包装機側に所定速度で供給されることになる。
【００３３】
ところで、上記構成により原反フィルム１５に直接回転力を与えることにより帯状フィルム１６は連続して送出されるが、この送出しにともない原反フィルム１５の原反フィルム径が徐々に小さくなる。よって、仮に第４の駆動モータ４０の回転速度を一定にすると、徐々に帯状フィルム１６の送出し速度は遅くなり、横ピロー包装装置の各部の駆動制御の基準となる帯状フィルム１６の移動速度が一定にならなくなる。従って、帯状フィルム１６を一定速度で製袋器１８（包装装置）側に送るためには、原反フィルム径が小さくなるにつれて回転速度を増加していく必要がある。そこで、係る回転速度を徐々に増加していく制御を速度制御装置３８で行うようにしている。
【００３４】
そして、具体的な制御としては、帯状フィルムを所定速度で移動させ供給させていくと、原反フィルム径が一定の比率で徐々に減少していくため（帯状フィルムは一定速度で包装機側に供給されるので、作業開始からの経過時間により原反フィルム径の減少の程度は求められる）、その減少の程度に合わせて予め定められた作業開始からの経過時間に伴う速度のマップ，テーブルを作成しておき、係るマップ等を参照して第４の駆動モータの速度を増速させていくような制御を行える。
【００３５】
また、原反フィルム１５の回転に伴う帯状フィルムの送出し速度と、補助ローラ２８等の引き出しに伴う帯状フィルム引き出し速度とが等しければ、第２，第４の駆動モータ３３，４０にはさほど負荷がかからず、所定の電流を供給するだけで所望の回転速度が得られるが、両者の速度が変わると、一方の駆動モータ（回転速度が遅い方）が他方の駆動モータに対して負荷・制動力をかけることになるので、他方の駆動モータを所定速度に回転させるためには通常の供給電流以上の電流を供給する必要がある。また、逆に一方の駆動モータ側では、所定の電流を供給すると、他方の駆動モータから回転力を付与されるため、通常で得られる回転速度以上の速度で回転する。したがって、係る電流の変化（目標値（通常値）からの偏差）や、回転速度の変化（目標値（通常値）からの偏差）を監視し、それらが０（上記引き出し速度と送出し速度とを等しくする）または、所定の値（上記引き出し速度と送出し速度とに一定の差をもたせる）になるように各駆動モータに対してフィードバック制御することもできる。さらには、帯状フィルムの移動速度や移動距離を監視し、それが目標値と一致するように各駆動モータに対してフィードバック制御するようにしても良く、種々の制御方式がとれる。
【００３６】
なお、上記した第１，第３の駆動モータに対する速度制御もこの速度制御装置３８で行うが、係る制御は従来公知のものであるので、具体的に処理フローは省略する。
【００３７】
ところで、上記した制御を行うためには、運転開始当初の原反フィルム径を、速度制御装置３８が知っている必要がある。そこで本発明では、係る径を検出するための原反フィルム径検出装置を設けた。
【００３８】
この原反フィルム径検出装置は、原反フィルム１５の回転角度を計測する回転角計測装置５１と、繰り出された帯状フィルム１６の移動距離を計測する距離計測装置５３と、各計測装置５１，５３の出力から原反フィルム径を算出する演算処理装置５５とから構成される。なお、実際には演算処理装置５５と上記速度制御装置３８は、ＣＰＵにより実行されるため、同一装置内に組み込まれる。
【００３９】
まず、回転角計測装置５１は、本実施例では電磁式のパルスエンコーダを用いている。すなわち図２に示すように回転軸４３の端部近傍に一体的にパルス板５６を固着して、回転軸４３の回転に伴い一体に回転するようにし、さらにこのパルス板５６の外周部にはその周側に沿って一定のピッチをあけて多数の突起５６ａが径方向に突出形成されている。そして、これらの各突起５６ａにはその先端部に磁性材が塗布されている。
【００４０】
一方、そのパルス板５６の外周側には各突起５６ａと微小な隙間をあけて磁力感知器５７が機枠等の固定系に支持される。これにより、磁力感知器５７の前を突起５６ａが通過する都度検出信号が出力されるので、回転軸４３（原反フィルム１５）の回転にともない回転角計測装置５１（磁力感知器５７）からパルス信号が出力され、演算処理装置５５に与えられる。そして、突起５６ａの配置間隔（角度）は既知であるので、隣接する突起５６ａ間の角度をθ0 とし、出力されたパルス数をｎとすると、求める回転角θは、
θ＝ｎ×θ0       …（１）
により算出できる。
【００４１】
また、距離計測装置５３は、図３に示すように、帯状フィルム１６を挟んで対向配置された幅広の受けローラ５３ａと、幅の狭い回転ローラ５３ｂと、その回転ローラ５３ｂに取り付けられたエンコーダ５３ｃとから構成される。そして、受けローラ５３ａは、帯状フィルム１６の幅よりも広くなりその全面と接触するようになっているとともに、フリー状態で図示省略の軸受けに支持されて回転自在となっている。一方、回転ローラ５３ｂは、受けローラ５３ａ側に付勢され、やはりフリー状態で図示省略の軸受けに支持されて回転自在となっている。  これにより、受けローラ５３ａと回転ローラ５３ｂとは、帯状フィルム１６に対し所定の圧力で挟圧することになり、帯状フィルム１６の移動にともない、受けローラ５３ａ並びに回転ローラ５３ｂは回転する。
【００４２】
そして、その回転ローラ５３ｂの回転軸にエンコーダ５３ｃを取り付けているため（エンコーダの具体的な構成は、例えば上記した回転角計測装置５１におけるエンコーダと同様のものを用いることができる）、回転ローラ５３ｂの回転にともない、エンコーダ５３ｃよりパルス信号が出力される。そして回転ローラ５３ｂの円周は既知であり、帯状フィルム１６の移動距離と回転ローラ５３ｂの円周面の移動距離は等しいので、その回転ローラ５３ｂが単位角度（隣接するパルス間の角度）回転した時の帯状フィルムの移動距離（基準移動距離Ｔ0 ）は一義的に決まる。従って、エンコーダから出力されるパルス（単位角度毎に１パルスずつ出力される）をカウントして、パルス数Ｎを計数したなら、その時の移動距離Ｔは、
Ｔ＝Ｎ×Ｔ0     …（２）
により求められる。
【００４３】
そして演算処理装置５５では、単位時間あたりに与えられた移動距離Ｔと回転角度θから、以下の演算処理を行い、開始時の原反フィルム径Ｒ0 を求める。
【００４４】
Ｒ0 ＝Ｔ＊（３６０／θ）  …（３）
そして、このようにして算出した径Ｒ0 を速度制御装置３８に転送し、速度制御装置３８では、与えられた原反フィルム径データを運転開始時の原反フィルム径として初期設定し、以後、上記した所定の制御を行う。
【００４５】
次に、上記した実施例に基づいて、その作用を説明しつつ本発明に係る原反送出し方法の一実施例について説明する。まず、フィルムのカット寸法，被包装物の高さ・長さ，単位時間あたりの製造個数等の所定の可変データを速度制御装置３８に入力する。そして、上記カット寸法と単位時間あたりの製造個数から帯状フィルム１６の移動速度（目標値）を求める。
【００４６】
なお、上記各データの入力は、ピロー包装装置全体の駆動制御のために必要なもので、原反フィルムの送出し方法のためには、少なくともフィルムのカット寸法と単位時間あたりの製造個数があればよい。また、係るデータを入力せずに、帯状フィルム１６の移動速度（目標値）を直接入力するようにしてもよい。
【００４７】
次に、速度制御装置３８からの制御命令に従い、第２，第４の駆動モータ３３，４０をそれぞれ所定の回転速度で一定量回転させ、その後停止させる。この時、第２の駆動モータ３３の回転にともなう帯状フィルム１６の引き出し速度の方が、第４の駆動モータ４０の回転にともなう原反フィルム１５からの帯状フィルムの送出し速度よりも早くなるように設定する。これにより、実際の帯状フィルムの移動速度は、補助ローラ２８，センターシーラ２９等ですべりが発生し、速度の遅い第４の駆動モータ４０に基づく帯状フィルムの送出し速度になり、帯状フィルムは弛むことなく移動する。
【００４８】
この移動時に、距離計測装置５３の両ローラ５３ａ，５３ｂも追従して回転し、それにともない所定のパルス（パルス数Ｎ）が出力され、また原反フィルム１５の回転にともない回転角計測装置５１のパルス板５６が回転しそれにともない所定のパルス（パルス数ｎ）が出力される。
【００４９】
そして、演算処理装置５５では、与えられたｎ，Ｎに基づいて、上記した式（１），（２）を実行後、式（３）を実行し、その原反フィルム径Ｒ0 を算出し、速度制御装置３８に転送する。これにより、本発明の要部である原反フィルム径の算出処理が終了する。なお、この算出時に帯状フィルムを移動させるために駆動させる第２，第４の駆動モータ３３，４０の駆動タイミング（上記一定量の回転）は、たとえば一定時間でも良く、或いはいずれかのパス数ｎ及びまたはＮが予め設定したしきい値を越えた時でも良く任意の値を設定できる。そしてしきい値処理する場合には、ｎ，Ｎの両者を同一のしきい値と比較しても良く、或いはそれぞれに適したしきい値を設定しても良い。また、ｎまたはＮの一方のみを予め比較対象とし、その値が一定のしきい値を越えた時（Ｎであれば一定距離だけ帯状フィルムが引き出された時）まで駆動するようにしても良く、任意の値を設定できる。
【００５０】
そして上記移動速度（目標値）から補助ローラ２８，センターシーラ２９の回転速度、すなわち、それを駆動するための第２の駆動モータ３３の回転速度を求める。さらに、速度制御装置３８は、初期設定された管径Ｒ0 と移動速度（目標値）に基づいて第４の駆動モータ４０の運転開始当初の回転速度を算出する。そして、各部の位置合わせ（初期設定）が終了したならば、第２の駆動モータ３３を、上記求めた回転速度で等速回転駆動させる。また、帯状フィルム１６が移動速度（目標値）で搬送されているとして第１，第３の駆動モータ２７，３５も所定のタイミングで増減速駆動する。さらに、第４の駆動モータ４０も上記算出結果に基づいて回転させる（移動速度よりも若干遅くなるような速度に設定する）。これにより、引出された帯状フィルムが製袋器１８までの間で弛むことがなくなる。
【００５１】
そして、第４の駆動モータ４０が回転駆動すると、それにともない原反フィルム１５も所定速度で回転し、原反フィルム１５から帯状フィルム１６が送出される。また、これと同時に第２の駆動モータ３３が等速回転してそれに連携する補助ローラ２８等が等速回転するため、上記送出された帯状フィルム１６が等速度で製袋器１８を通って筒状フィルム１９に製袋されながら内部に被包装物２０が供給され、そのままさらに前進することによりセンターシーラ２９にてフィルム重合端部位がシールされ、エンドシーラ３０で横方向にシール・カットされて包装体３４が製造される。
【００５２】
またこの運転中の帯状フィルム１６の送出し速度は、第４の駆動モータ４０を増減速することによりそれに追従するように制御される。よって、上記した速度制御装置３８により、原反フィルム１５の巻径が小さくなるのに応じて第４の駆動モータ４０の回転速度を増加させることにより、一定速度で帯状フィルム１６を送出す。しかも、係る速度制御は、リアルタイムで常時行われているため、スムーズに（段差無く）第４の駆動モータ４０の回転速度を変動させることができるので、帯状フィルム１６の移動速度は、目標値付近でほぼ一定値が保たれる。
【００５３】
このように本実施例では、運転開始当初に原反フィルム径を検出するため、開始時の第４の駆動モータ４０の回転速度を係る径に応じて最適な値に設定できるので、開始時から第４の駆動モータ４０による原反フィルムからの帯状フィルムの送出し量と、第２の駆動モータ３３による帯状フィルムの引き出し量（ともに単位時間あたり）がほぼ等しい所定の関係に維持され、帯状フィルム１６は最初から所定のテンショが過不足なく加わる。
【００５４】
よって、一方のモータに過電流が流れたり、帯状フィルムに必要以上のテンションが加わったりすることがなく、所望の状態で包装処理が行える。そして、開始する都度原反フィルム径の検出が行われるため、終業時，メンテナンス時その他の理由により包装装置を停止し、その後、再運転する場合や、使用途中の原反フィルムを装着する場合など、原反フィルム径が未使用時のものから小さくなっているように、正確な径が不明な場合でも、確実に所望の状態で装置の稼働を行える。
【００５５】
なお、本実施例では、制動装置のような大型な設備が不要となり、原反フィルム１５から製袋器１８までの間には、プーリ１７のように嵩の張らない部材のみが存在するので、実装された包装装置全体の嵩を低くし、小型化を図ることができる。
【００５６】
また、上記した実施例では、第１，第３の駆動モータ２７，３５を夫々、所定のタイミングで増減速するようにしたが、本発明はこれに限ることなく、第１の駆動モータ２７は等速回転するものでもよい。すなわち、実施例では被包装物２０が製包機１８に供給される際にはそれと接触する筒状フィルム１９と同速度で移動させるようにしたが、被包装物２０が固く、筒状フィルム１９との速度差による接触抵抗によってもくずれたりしないような場合には、上記のように第１の駆動モータ２７を等速回転させて被包装物供給装置２２の搬送速度を一定にすることにより、制御系を簡易にすることができる。
【００５７】
なお原反フィルムの回転角度を検出する手段としては、上記した実施例に限ることなく、例えば第４の駆動モータ４０の出力軸の回転角度を検出し、それに基づいて換算してもよく、ようは直接または間接的に回転角度が求められればよい。
【００５８】
なお上記した実施例では、実装する製袋充填包装機として上記した実施例では横ピロー包装装置に適用した例について説明したが、縦ピロー包装装置，横三方包装装置や四方包装装置等使用する包装フィルムが原反フィルムから連続して引出されるものであれば種々の製袋充填包装機に適用することができる。
【００５９】
【発明の効果】
以上のように、本発明では、ユーザーは使用する原反フィルムを装着するだけで、自動的に装着した原反フィルムの現在の径を計測することができる。その計測した原反フィルム径のデータに基づいて稼働する本発明に係る原反フィルムの送出し方法及び装置では、運転開始時の原反フィルム径に適した駆動モータの回転速度を設定し、その回転速度で駆動モータを稼働できるので、運転開始当初から帯状フィルムを所望の目標移動速度で送出すことができ、帯状フィルムや装置に過負荷を与えることがない。よって、その後に行われる原反フィルム径の減少にともなう駆動モータに対する回転速度の増減速制御でも、係る回転速度が急激に変動することがなく、スムーズな運転・制御が行える。
【００６０】
そして、本発明でも運転開始後の制御においては、原反フィルム側で帯状フィルムの送出しを制御できるので、駆動モータを増減速するとそれに追従して原反フィルムの回転速度も増減速し、駆動モータを停止すると原反フィルムの回転も停止させることができる。よって、従来のように慣性力により原反フィルムが回転し続けることがなく、原反フィルムに対する大掛かりな制動装置が不要となる。
【００６１】
そして、帯状フィルムの送出しに伴う原反フィルム径の減少に合わせて駆動モータの回転を所定の比率で徐々に増速していくと、帯状フィルムを等速度で送出すことができる。
【図面の簡単な説明】
【図１】本発明に係る製袋充填包装機における原反送出し装置の一実施例を示す図である。
【図２】本実施例の要部である原反フィルム付近を示す一部拡大断面図である。
【図３】本実施例の要部である距離計測装置を示す一部拡大断面図である。
【図４】従来技術を示す図である。
【符号の説明】
１５  原反フィルム
１６  帯状フィルム
２８  補助ローラ（供給する手段）
２９  センターシーラ（供給する手段）
３３  第２の駆動モータ（供給する手段）
３８  速度制御装置
４０  第４の駆動モータ（駆動モータ）
５１  回転角計測装置
５３  距離計測装置
５５  演算処理装置
【図１】
0003676842.tif 000002
【図２】
0003676842.tif 000003
【図３】
0003676842.tif 000004
【図４】
0003676842.tif 000005